(57)【要約】      （修正有）【課題】従来よりも便利なカレンダーを提供する。【解決手段】複数のカレンダー用紙１０２と、複数のカレンダー用紙１０２の一辺を綴じるための綴じ部１０１と、綴じ部１０１の背面に取り付けられるマグネット１１０と、を備えるカレンダー１００が提供される。好ましくは、マグネット１１０は、粘着部を含む。粘着部がマグネット１１０を綴じ部１０１に固着し、マグネットの磁力によって綴じ部１０１を壁面に取り付けるように構成されている。【選択図】図３
0003212686.tif 000002
【実用新案登録請求の範囲】
【請求項１】
複数のカレンダー用紙と、
前記複数のカレンダー用紙の一辺を綴じるための綴じ部と、
前記綴じ部の背面に取り付けられて、前記綴じ部を壁面に取り付けるための取り付け部材と、を備えるカレンダー。
【請求項２】
前記取り付け部材は、マグネットと粘着部とを含み、
前記粘着部が前記取り付け部材を前記綴じ部に固着し、前記マグネットの磁力によって前記取り付け部材を壁面に取り付けるように構成されている、請求項１に記載のカレンダー。
【請求項３】
前記綴じ部によって閉じられた複数のカレンダー用紙と、
前記粘着部をカバーするカバーが貼られた前記取り付け部材と、
前記綴じ部によって閉じられた複数のカレンダー用紙と、前記粘着部をカバーするカバーが貼られた前記取り付け部材と、を内包する収納部材と、を備えるカレンダーセット。
【考案の詳細な説明】
【技術分野】
【０００１】
本考案は、カレンダーに関する。
【背景技術】
【０００２】
従来から壁に掛けるためのカレンダーが知られている。たとえば、特開２０１０−１０００２５号公報（特許文献１）には、カレンダーの１番最後のページの裏面に磁石を設ける磁石つきカレンダーが開示されている。
【先行技術文献】
【特許文献】
【０００３】
【特許文献１】特開２０１０−１０００２５号公報
【考案の概要】
【考案が解決しようとする課題】
【０００４】
本考案の目的は、従来よりも便利なカレンダーを提供することにある。
【課題を解決するための手段】
【０００５】
本考案のある局面に従うと、複数のカレンダー用紙と、複数のカレンダー用紙の一辺を綴じるための綴じ部と、綴じ部の背面に取り付けられて、綴じ部を壁面に取り付けるための取り付け部材と、を備えるカレンダーが提供される。
【考案の効果】
【０００６】
以上のように、本考案によれば、従来よりも便利なカレンダーを提供することができる。
【図面の簡単な説明】
【０００７】
【図１】第１の実施の形態にかかるカレンダーの正面図である。
【図２】第１の実施の形態にかかるマグネットを貼り付ける前のカレンダーの背面図である。
【図３】第１の実施の形態にかかるマグネットを貼り付けた状態のカレンダーの背面図である。
【図４】第１の実施の形態にかかるマグネットの背面図である。
【図５】第１の実施の形態にかかるマグネットの正面図である。
【図６】第１の実施の形態にかかるカレンダーセットの作成方法を示すイメージ図である。
【図７】第１の実施の形態にかかる、袋が透明である場合のカレンダーセットの背面図である。
【図８】第２の実施の形態にかかるマグネットを貼り付けた状態のカレンダーの背面図である。
【考案を実施するための形態】
【０００８】
以下、図面を参照しつつ、本考案の実施の形態について説明する。以下の説明では、同一の部品には同一の符号を付してある。それらの名称および機能も同じである。したがって、それらについての詳細な説明は繰り返さない。
【０００９】
［第１の実施の形態］
図１は、本実施の形態にかかるカレンダー１００の正面図である。図２は、カレンダーの背面図である。図１および図２に示すように、本実施の形態に係るカレンダー１００は、複数毎のカレンダー用紙１０２が、綴じ部１０１によって綴じられている。
【００１０】
本実施の形態においては、カレンダー用紙１０２の１枚には、１カ月分のカレンダーが記載されている。そして、複数のカレンダー用紙１０２は、１月のカレンダー用紙〜１２月のカレンダー用紙、つまり１２枚のカレンダー用紙から構成される。本実施の形態においては、綴じ部１０１によって、１月のカレンダー用紙の前に、表紙も綴じられている。
【００１１】
ただし、カレンダー用紙１０２の１枚には、２か月分のカレンダーが記載されてもよいし、半年分のカレンダーや、１年分のカレンダーや、１週間分のカレンダーが記載されてもよい。本実施の形態の技術は日めくりカレンダーにも適用することができる。
【００１２】
綴じ部１０１は、カレンダー用紙１０２よりも硬い厚紙やプラスチックや金属などで構成される。綴じ部１０１には、孔１０１Ｘが形成されることが好ましい。これによって、カレンダー１００を壁に取り付けにくい場合などに、孔１０１Ｘに紐などを通して、カレンダー１００を吊るすことができる。
【００１３】
そして、本実施の形態にかかるカレンダー１００は、ユーザの任意で、図３に示すように、その裏面の綴じ部１０１の部分にマグネット１１０を貼り付けることができる。マグネット１１０は、図４に示すように、正面視および背面視において、綴じ部１０１と同様の細長い長方形を有する扁平な部材である。
【００１４】
より詳細には、マグネット１１０の一面には、綴じ部１０１に貼り付けるための粘着剤が塗布されている。そして、カレンダー１００の販売時には、マグネット１１０の粘着剤の面には、図５に示すように、シール１１１が貼られている。シールは、ユーザが、マグネット１１０を綴じ部１０１に張り付ける際に取り外される。
【００１５】
ユーザが、マグネット１１０によってカレンダー１００を冷蔵庫の扉などに貼り付けようとする際には以下のような作業を行う。
（１）マグネット１１０からシール１１１を取り外す。
（２）マグネット１１０の粘着面を綴じ部１０１の（カレンダー１００の）裏面側に貼り付ける。
（３）マグネット１１０（カレンダー１００の裏面）を冷蔵庫の扉に貼り付ける。
【００１６】
なお、本実施の形態においては、マグネット１１０には、綴じ部１０１に取り付けられた際に孔１０１Ｘと重なる部分に切欠き１１０Ｘが形成される。これよって、マグネット１１０が綴じ部１０１に貼り付けられた状態でも、カレンダー１００を壁に取り付けにくい場合などには、孔１０１Ｘに紐などを通すことによって、カレンダー１００を吊るすことができる。
【００１７】
図６に示すように、本実施の形態においては、製造時または出荷前に、複数のカレンダー用紙１０２とその綴じ部１０１から構成されるカレンダー１００と、シール１１１が付いた状態のマグネット１１０と、を袋１２０に収納することが好ましい。
【００１８】
すなわち、図７に示すように、カレンダー１００とマグネット１１０とが袋１２０に入ったカレンダーセット２００を販売したり、配布したりすることが好ましい。そして、ユーザが、自宅やオフィスで、袋１２０からカレンダー１００とマグネット１１０を取り出して、上述の作業を行うことが好ましい。より詳細には、カレンダー１００の裏面側にマグネット１１０を封入した方が、カレンダー１００の表紙が袋１２０の外からよく見えて好適である。
【００１９】
このように、本実施の形態にかかるカレンダー１００は、綴じ部１０１に張り付けるための細長いマグネット１１０によって、硬い綴じ部１０１の部分を壁に取り付けるものであるため、小さいマグネットによって効率的にカレンダー１００を壁に取り付けることができる。マグネットが小さいので、カレンダーセット２００のコストを低減し、カレンダーセット２００の重さも低減することができる。合わせて、綴じ部１０１の裏側にマグネット１１０を張り付けるので、カレンダー１００の態勢を保ったまま強固に保持することができる。
［第２の実施の形態］
【００２０】
第１の実施の形態においては、カレンダー１００の背面の閉じ部１０１にマグネット１１０を貼り付けるものであったが、綴じ部１０１の代わりに別の部分にマグネット１１０を張り付けてもよい。
【００２１】
あるいは、図８に示すように、綴じ部１０１に加えて別の部分にマグネット１１２を貼り付け形態であってもよい。
【００２２】
なお、綴じ部１０１以外の部分にマグネットを貼り付ける場合は、綴じ部１０１によって、１２月のカレンダー用紙の後に、厚紙やプラスチックや金属の背表紙も綴じることが好ましい。あるいは、１２月のカレンダー用紙自体を、厚紙やプラスチックや金属で構成することが好ましい。あるいは、カレンダー１００の背面のみ、綴じ部１０１が下方まで延設されてもよい。
［第３の実施の形態］
【００２３】
第１の実施の形態においては、ユーザが、任意でマグネット１１０をカレンダー１００の背面に取り付けるものであった。しかしながら、予めマグネット１１０がカレンダー１００の背面に取り付けられるものであってもよい。
［第４の実施の形態］
【００２４】
第１の実施の形態においては、マグネット１１０の左右中央部に上から切欠き１１０Ｘが形成されるものであった。しかしながら、マグネット１１０の左右中央部に下から切欠き１１０Ｘが形成されてもよい。
【００２５】
あるいは、綴じ部１０１に、孔１０１Ｘが複数形成されて、マグネット１１０には、綴じ部１０１に取り付けられた際に複数の孔１０１Ｘのそれぞれに重なる部分に複数の切欠き１１０Ｘが形成されてもよい。
【００２６】
あるいは、切り欠きではなく、マグネット１１０には、綴じ部１０１に取り付けられた際に孔１０１Ｘと重なる部分に穴が形成されてもよい。
［まとめ］
【００２７】
上記の第１〜第４の実施の形態に記載のように、複数のカレンダー用紙１０２と、複数のカレンダー用紙１０２の一辺を綴じるための綴じ部１０１と、綴じ部１０１の背面に取り付けられて、綴じ部１０１を壁面に取り付けるための取り付け部材１１０と、を備えるカレンダー１００が提供される。
【００２８】
好ましくは、取り付け部材１１０は、マグネットと粘着部とを含む。粘着部が取り付け部材１１０を綴じ部１０１に固着し、マグネットの磁力によって取り付け部材１１０を壁面に取り付けるように構成されている。
【００２９】
そして、綴じ部１０１によって閉じられた複数のカレンダー用紙１０２と、粘着部をカバーするカバー１１１が貼られた取り付け部材１１０と、綴じ部１０１によって閉じられた複数のカレンダー用紙１０２と、粘着部をカバーするカバー１１１が貼られた取り付け部材１１０と、を内包する収納部材１２０と、を備えるカレンダーセット２００が提供される。
【００３０】
今回開示された実施の形態はすべての点で例示であって制限的なものではないと考えられるべきである。本考案の範囲は、上記した説明ではなく、実用新案登録請求の範囲によって示され、実用新案登録請求の範囲と均等の意味および範囲内でのすべての変更が含まれることが意図される。
【符号の説明】
【００３１】
１００    ：カレンダー
１０１    ：綴じ部
１０１Ｘ  ：孔
１０２    ：カレンダー用紙
１１０    ：取り付け部材（マグネット）
１１０Ｘ  ：切欠き
１１１    ：カバー（シール）
１１２    ：マグネット
１２０    ：収納部材（袋）
２００    ：カレンダーセット
【図１】
0003212686.tif 000003
【図２】
0003212686.tif 000004
【図３】
0003212686.tif 000005
【図４】
0003212686.tif 000006
【図５】
0003212686.tif 000007
【図６】
0003212686.tif 000008
【図７】
0003212686.tif 000009
【図８】
0003212686.tif 000010
【手続補正書】
【提出日】平成29年7月26日(2017.7.26)
【手続補正１】
【補正対象書類名】実用新案登録請求の範囲
【補正対象項目名】全文
【補正方法】変更
【補正の内容】
【実用新案登録請求の範囲】
【請求項１】
複数のカレンダー用紙と、
前記複数のカレンダー用紙の一辺を綴じるための綴じ部と、
前記綴じ部の背面に取り付けられるマグネットと、を備えるカレンダー。
【請求項２】
前記マグネットは、粘着部を含み、
前記粘着部が前記マグネットを前記綴じ部に固着し、前記マグネットの磁力によって前記綴じ部を壁面に取り付けるように構成されている、請求項１に記載のカレンダー。
【請求項３】
綴じ部によって閉じられた複数のカレンダー用紙と、
粘着部にカバーが貼られたマグネットと、
前記複数のカレンダー用紙と、前記マグネットと、を内包する収納部材と、を備えるカレンダーセット。